(57)【要約】      （修正有）【課題】降雨による浸水や日光の侵入による加熱を防止することができ、設置作業や筐体での作業を容易にする電子機器装置を提供する。【解決手段】塔や電柱などに取り付けられた架７に、小型屋外設置型携帯電話機基地局の増幅器などを実装した筐体９が固定されており、その全体を前面側から遮熱カバー１が覆っている。遮熱カバー１は、架７の取付部７ｂ1にヒンジ３で回動可能に取り付けられ、通常状態の筐体９全体が覆われているときには、底面部１ｄの部分が架７の取付部７ｂ1に固定されている。この遮熱カバー１は、その正面部１ａや上面部１ｂ、側面部１ｃ1，１ｃ2、底面部１ｄが一体に成形されたものである。取付部７ｂ1からはずして底面部１ｄを持ち上げると、遮熱カバー１が上方に回動して開いた状態となり、ステー４を架７に固定することにより、遮熱カバー１は、筐体９を上方から覆うように、開いた状態に保持される。【選択図】図３
2010129846.tif 000002
【特許請求の範囲】
【請求項１】
電子機器を収納する筐体と、
該筐体が固定される架と、
該架に回動可能に取り付けられ、該筐体全体を覆うカバーと
を備えたことを特徴とする電子機器装置。
【発明の詳細な説明】
【技術分野】
【０００１】
本発明は、屋外設置型の電子機器装置に係わり、特に、移動体通信網などの基地局をなす増幅器などの電子機器を実装する電子機器装置に関するものである。
【背景技術】
【０００２】
携帯電話機の無線通信システムでは、中継増幅器などからなる中継基地局として、小型屋外設置型の携帯電話機基地局が用いられ、電柱や塔などの高い所に設置される。
【０００３】
かかる基地局の一例として、内部ユニットや増幅部を内蔵した筐体や冷却ファン，放熱部をカバーで覆い、カバーに蓋を設けることによって、増幅部や筐体の交換などの作業をすることができるようにした基地局が提案されている（例えば、特許文献１参照）。
【特許文献１】特開２００５ー２６８８８５号公報
【発明の開示】
【発明が解決しようとする課題】
【０００４】
従来の基地局では、筐体やこれをカバーする遮熱板などは板金構造であるため、製作時に生ずる溶接ピンホールや遮熱板取り付け金具の貫通部のかしめ不良による隙間，マウントフレームの取付けねじ孔などからの筐体内への浸水、防水ガスケットの経年変化や防水ガスケットの応力緩和による粘着テープずれによる隙間からの筐体内への浸水、想定外の豪雨や強風，腐食などによる筐体内への浸水が発生する。
【０００５】
また、カバーとしての遮熱板は、板金が組み合わされたものであって、一体成形のものではないため、これら板金の隙間からカバー内に日光が入り込み、筐体が加熱されるなど、遮熱のための処置が充分ではなかった。
【０００６】
さらに、従来の基地局では、正面から固定ねじで装置を取り付けて設置できるものではなく、このため、ほとんどの場合、筐体の取付けや交換作業は基地局装置の裏側に廻り込んで行なう必要があり、作業がしにくいという問題があり、また、狭隘な場所に設置使用とすると、設置条件に制限があるなど、余分な設置作業スペースと手間を必要としていた。
【０００７】
本発明の目的は、かかる問題を解消し、降雨による浸水や日光の侵入による加熱を防止することができ、設置作業や筐体での作業を容易に行なうことができるようにした電子機器装置を提供することにある。
【課題を解決するための手段】
【０００８】
上記目的を達成するために、本発明は、電子機器を収納する筐体と、筐体が固定される架と、架に回動可能に取り付けられ、筐体全体を覆うカバーとを備えたことを特徴とするものである。
【発明の効果】
【０００９】
本発明によると、一体成形のカバーで、架に取り付けられた筐体を覆っているので、雨がこのカバーの内部に漏れたり、日光がこのカバーからその内部に漏れたりすることがなく、カバー内部の筐体が浸水したり、日光によって筐体が加熱したりすることを充分に防止することができる。
【００１０】
また、カバーは架に回動可能に取り付けられているので、このカバーを簡単な開くことができて、前面側から内部の筐体に対する作業が可能となり、かかる作業がし易いものとなる。
【発明を実施するための最良の形態】
【００１１】
以下、本発明の実施形態を図面を用いて説明する。
【００１２】
図１は本発明による電子機器装置の第１の実施形態を示す外観斜視図であって、１は遮熱カバー、１ａは正面部、１ｂは上面部、１ｃ1は右側面部、１ｃ2は左側面部、１ｄは底面部、２は開口部、３はヒンジ、４はステー、５はピン、６ａ，６ｂは固定ねじ、７は架（フレーム）、７ａは平面部、７ｂ1，７ｂ2は取付部、８は排気孔ある。
【００１３】
同図において、小型屋外設置型携帯電話機基地局が設置される塔や柱，建築物などの建造物の外壁の高い所に架７が取り付けられ、この架７に小型屋外設置型携帯電話機基地局を実装（内蔵）した筐体（図示せず）が取り付けられて、この筐体全体をその前面側から覆うように、遮熱カバー１が架７に取り付けられている。
【００１４】
この遮熱カバー１は、金属やプラスチックなどの板状をなす正面部１ａと上面部１ｂと右側面部１ｃ1と左側面部ｃ2と底面部１ｄとからなり、これらは一体に成形されたものである。
【００１５】
右側面部１ｃ1と左側面部ｃ2との夫々の奥上角部が架７に設けられた取付部７ｂ1，７ｂ2の側面に、ヒンジ３により（但し、左側面部ｃ2側のヒンジは図示せず）、遮熱カバー１全体が矢印Ａ方向に回動可能に取り付けられており、また、これら右側面部１ｃ1と左側面部ｃ2との夫々の奥下角部が架７の取付部７ｂ1，７ｂ2の頂面に固定ねじ６ａ，６ｂによって固定されている。ここで、これら取付部７ｂ1，７ｂ2は、架７の左右の辺部にこれら辺部に沿って細長く設けられた凸部をなすものであって、これら取付部７ｂ1，７ｂ2間が取付部７ｂ1，７ｂ2よりもへこんだ平面部７ａをなしている。これら取付部７ｂ1，７ｂ2の外側の側面にヒンジ３によって遮熱カバー１の右側面部１ｃ1と左側面部ｃ2との夫々の奥上角部が取り付けられ、これら取付部７ｂ1，７ｂ2の頂面に固定ねじ６ａ，６ｂによって右側面部１ｃ1と左側面部ｃ2との夫々の奥下角部が固定されている。
【００１６】
このように、遮熱カバー１が架７に取り付けられて小型屋外設置型携帯電話機基地局を実装した筐体を覆っている状態では、この遮熱カバー１の上面部１ｂの奥端辺と架７の平面部７ａとの間に隙間が形成されて、この隙間が排気孔８をなしている。また、遮熱カバー１の底面部１ｄには、その左右方向に広く、かつこの底面部１ｄの奥端辺で開放するケーブル導入口としての開口部２が設けられている。
【００１７】
このように、遮熱カバー１が板状をなして一体に成形された正面部１ａと上面部１ｂと右側面部１ｃ1と左側面部ｃ2と底面部１ｄとからなるものであるから、これら間には隙間がなく、照射される日光が遮熱カバー１の内部に入り込むことがなく、完全に遮光されるため、この遮熱カバー１の内部の筐体は日光で加熱されることがなく、また、雨が降っても、遮熱カバー１の部分から浸水することがない。
【００１８】
図２は図１に示す第１の実施形態での遮熱カバー１で覆われた内部の筐体を示す透視図であって、９は筐体であり、図１に対応する部分には同一符号をつけて重複する説明を省略する。
【００１９】
同図において、破線で示す筐体９は、遮熱カバー１の内部で架７の取付部７ｂ１，７ｂ２に固定ねじによって取り付けられており、このため、この筐体９の背面と架７の平面部７ａとの間にも、排気孔８に連通した隙間が形成されている。また、この隙間は遮熱カバー１の底面部１ｄの開口部２（図１）にも連通しており、従って、排気孔８とこの開口部２とは、この隙間を通して上下に連通していることになる。
【００２０】
ここで、筐体９は、後述するように、放熱ラジエータが設けられており、この筐体９に内蔵された小型屋外設置型携帯電話機基地局の増幅器などで発生する熱が、この放熱ラジエータにより、遮熱カバー１と筐体９との間の空間内に放熱され、この空間内の空気がこの放熱によって暖められる。しかし、遮熱カバー１の底面部１ｄの開口部２から排気孔８に連通する通路が形成されていることから、煙突効果により、この暖められた空気がこの通路を通して排気孔８から外部に排気され、代わりに遮熱カバー１の底面部１ｄの開口部２から外部の冷えた空気が遮熱カバー１内に入り込む。これにより、筐体９の加熱も防止することができ、これに内蔵される小型屋外設置型携帯電話機基地局の増幅器などの装置の温度上昇を抑えることができる。
【００２１】
また、雨が降るときには、この雨が排気孔８から遮熱カバー１内に入り込むことになるが、この排気孔８は上記の筐体９の背面側の隙間による通路を通して真下にある遮熱カバー１の底面部１ｄの開口部２と連通しているので、排気孔８から入り込んだ雨粒はこの通路を通して真下に開口部２から落下することになり、筐体９の全面を濡らすようなことはない。また、筐体９の放熱ラジエータからの放熱で暖められた空気は、筐体９の外面に沿って架７の平面部７ａの方に流れ、排気孔８から外部に排気されるものであるから、この暖められた空気の流れにより、排気孔８から遮熱カバー１内には入り込んだ雨粒は、架７の平面部７ａ側に押し付けられるように、作用され、筐体９側に入り込みにくくなる。
【００２２】
このようにして、この第１の実施形態では、降雨による筐体９の濡れも充分に防止することが可能となる。
【００２３】
図３は図１に示す第１の実施形態で遮熱カバー１を開いた状態を示す斜視図であって、１０は筐体本体、１１は扉、１２は放熱ラジエータ、１３は点検窓、１３ａは摘み、１４は点検開口、１５は筐体固定ねじ、１６は扉固定ねじであり、前出図面に対応する部分には同一符号をつけて重複する説明を省略する。
【００２４】
図１に示す状態で遮熱カバー１を固定ねじ６ａ，６ｂをはずすと、遮熱カバー１はヒンジ３で架７の取付部７ｂ1，７ｂ2にぶら下がった状態となり、遮熱カバー１の底面部１ｄを持ち上げると、図３に示すように、遮熱カバー１が開いた状態となる。このとき、遮熱カバー１の右側面部１ｃ1でピン５でステー４がぶら下がっており、同様に、図示しないが、左側面部１ｃ2にも、ステー４がぶら下がっている。これらステー４は、図示しないが、例えば、その先端にピンが設けられており、このピンの引っ掛け部が架７の取付部７ｂ1，７ｂ2の外側面に設けられており、この引っ掛け部にステー４の先端のピンを引っ掛けることにより、これら先端を固定することができる。これにより、遮熱カバー１は、図示するように、開いてほぼ水平な状態に固定することができる。
【００２５】
筐体９は、小型屋外設置型携帯電話機基地局の増幅器などの装置を収納する筐体本体１０とそれを閉じる扉１１とからなり、この扉１１の外面には、放熱ラジエータ１２が設けられ、また、この扉１１の中央部に放熱ラジエータ１２を通して点検用の開口１４が設けられて、これに開閉可能に点検窓１３が取り付けられている。そして、この点検窓１３に摘み１３ａが設けられ、この摘み１３ａを摘んで持ち上げることにより、点検窓１３を開くことができ、点検用開口１４から筐体９の内部を点検することができる。
【００２６】
このように、点検窓１３から筐体９内を点検する場合、遮熱カバー１は開いて筐体９の上方に水平な状態で固定されており、このため、遮熱カバー１は筐体９に対して雨を防ぐ傘として機能する。従って、この第１の実施形態では、固定ねじ６ａ，６ｂを架７から取り外すという簡単な作業で遮熱カバー１を開いて筐体９内を点検可能な状態とすることができるし、開いた遮熱カバー１は筐体９に対して雨を防ぐ傘として機能するので、雨天のときでも、筐体９を濡らさずに筐体９内を点検することができる。
【００２７】
図４は図３に示す状態から筐体９の扉１１を開いた状態を示す斜視図であって、前出図面に対応する部分には同一符号を付けて重複する説明を省略する。
【００２８】
図３に示す状態で扉固定ねじ１６を筐体本体１０から取り外すと、図４に示すように、筐体９で扉１１を開くことができ、筐体本体１０内に取り付けられている部品の交換などの作業を行なうことができる。
【００２９】
このような作業においても、主熱カバー１は開いた状態にあって、筐体９に対して雨を避ける傘として機能することになる。従って、この第１の実施形態では、さらに、雨天で筐体９内の作業において、この筐体９内部を雨で濡らすことなくかかる作業を行なうことができる。
【００３０】
図５は本発明による電子機器装置の第２の実施形態を示す斜視図であって、１７はファン、１８は下部通風口であり、前出図面に対応する部分には同一符号を付けて重複する説明を省略する。
【００３１】
同図において、この第２の実施形態は、先の第１の実施形態での放熱ラジエータ１２に代えて、筐体９の上壁部にファン１７を設けたものである。このファン１７により、筐体９の内部に外部からの冷たい空気を送りこむものであり、このために、筐体９の底部に通風口１８が設けられている。
【００３２】
以上の構成以外については、先の第１の実施形態と同様であり、第１の実施形態と同様の効果が得られる。
【００３３】
図６は本発明による電子機器装置の第３の実施形態を示す斜視図であって、１１ａ，１１ｂは扉、１９ａ，１９ｂは把っ手、２０は扉固定ねじであり、前出図面に対応する部分には同一符号を付けて重複する説明を省略する。
【００３４】
同図において、この第３の実施形態は、筐体９が筐体本体１０の両側に扉１１ａ，１１ｂが設けられた構成をなすものであり、点検窓１３は筐体本体１０の側面に正面を向いて設けられている。ここで、筐体９の向きは、先の第１，第２の実施形態での筐体９の向きが遮熱カバー１の正面部１ａに対向した正面向きであるのに対し、これとは直角の方向の向きであって、一方の扉１１ａは遮熱カバー１の右側面部１ｃ1に対向した側に配置され、他方の扉１１ｂは遮熱カバー１の左側面部１ｃ2に対向した側に配置されている。
【００３５】
点検窓１３を開くことにより、筐体９の内部全体を点検することができ、扉１１ａを開くことにより、筐体９の内部での作業を右側から、扉１１ｂを開くことにより、筐体９の内部での作業を左側から夫々行なうことができる。
【００３６】
なお、この第３の実施形態では、扉１１ａには、その両側に把っ手１９が設けられ、また、この扉１１ａはその４隅が扉固定ねじ２０によって筐体本体１０に固定されており、これら扉固定ねじ２０を取り外し、把っ手１９ａ，１９ｂを持ってこの扉１１ａを筐体本体１０の点検窓１３が設けられた側面部まで運んで立て掛けることにより、この扉１１ａを開いた状態の遮熱カバー１の下方に置くようにすることができる。これにより、雨天時でも、この扉１１ａが雨で濡れないようにして、筐体９の内部の作業を行なうことができる。このことは、他方の扉１１ｂについても、同様である。
【００３７】
以上の構成以外については、先の第１，第２の実施形態と同様であり、これらの実施形態と同様の効果が得られる。
【００３８】
図７は本発明による電子機器装置の第４の実施形態を示す斜視図であって、７Ａ，７Ｂは取付部パイプであり、図１に対応する部分には同一符号を付けて重複する説明を省略する。
【００３９】
同図において、この第４の実施形態は、２つの角状の取付部パイプ７Ａ，７Ｂのみからなる架７を用いたものである。これら取付部パイプ７Ａ，７Ｂは建造物の外壁部に垂直方向に互いに平行で所定の間隔で取り付けられ、図１に示した筐体９と遮熱カバー１とが、図１での架７の取付部７ｂ1，７ｂ2への取り付けと同様の方法でもって、取付部パイプ７Ａ，７Ｂに取り付けられるものである。この場合、これら取付部パイプ７Ａ，７Ｂ間が排気孔８となる。
【００４０】
かかる構成以外については、図１で示す第１の実施形態と同様であり、これと同様の効果が得られる。
【００４１】
また、かかる取付部パイプ７Ａ，７Ｂからなる架７としては、先の第２，第３の実施形態においても、同様にして用いることができることはいうまでもない。
【図面の簡単な説明】
【００４２】
【図１】本発明による電子機器装置の第１の実施形態を示す外観斜視図である。
【図２】図１に示す実施形態での遮熱カバーで覆われた内部の筐体を示す透視図である。
【図３】図１に示す実施形態で遮熱カバーを開いた状態を示す斜視図である。
【図４】図３に示す状態で筐体の扉を開いた状態を示す斜視図である。
【図５】本発明による電子機器装置の第２の実施形態を示す斜視図である。
【図６】本発明による電子機器装置の第３の実施形態を示す斜視図である。
【図７】本発明による電子機器装置の第４の実施形態を示す斜視図である。
【符号の説明】
【００４３】
１  遮熱カバー
２  開口部
３  ヒンジ
７  架（フレーム）
８  排気孔
９  筐体
【図１】
2010129846.tif 000003
【図２】
2010129846.tif 000004
【図３】
2010129846.tif 000005
【図４】
2010129846.tif 000006
【図５】
2010129846.tif 000007
【図６】
2010129846.tif 000008
【図７】
2010129846.tif 000009